(57)【要約】【課題】ペア型の室内機とマルチ型の室内機との間で部品を共用化できる多室形空気調和機を提供する。【解決手段】１台の室外機（図示せず）と、室外機に接続された複数台の室内機１６ａ、１６ｂ、１６ｃを有し、室内機１６ａは、室内熱交換器６ａと、室内膨張弁２１ａを備え、室内熱交換器６ａの側方に、室内制御器１５ａ（１５ｂ、１５ｃ）を配設し、室内熱交換器６ａの反対側の側方に室内膨張弁２１ａを配設したもので、室内膨張弁２１ａの配設のために室内熱交換器６ａの背面側を一部カットする必要が無いので、前面側熱交換部６ａ−１の長さと背面側熱交換部６ａ−２の長さが同じとなり、マルチ型の室内機を、膨張弁を内蔵しないペア型の室内機と同等性能にでき、ペア型、マルチ型の各室内機間で部品が共用化できる。【選択図】図３
2011094891.tif 000002
【特許請求の範囲】
【請求項１】
１台の室外機と、前記室外機に接続された複数台の室内機を有し、前記室外機は、圧縮機と、四方弁と、室外熱交換器と、室外膨張弁を備え、前記複数台の室内機のそれぞれは、室内熱交換器と、室内膨張弁と、室内ファンを備え、前記室内熱交換器の側方に、室内制御器を配設し、前記室内熱交換器の前記室内制御器と反対側の側方に前記室内膨張弁を配設したことを特徴とする多室形空気調和機。
【請求項２】
室内膨張弁に接続された配管の一部を、室内熱交換器の背面側に配設したことを特徴とする請求項１に記載の多室形空気調和機。
【請求項３】
室内熱交換器は、前面側熱交換部と背面側熱交換部を備え、室内膨張弁のリード線部を、前記前面側熱交換部と前記背面側熱交換部の合せ部に配設したことを特徴とする請求項１または２に記載の多室形空気調和機。
【請求項４】
リード線部をカバーするリード線カバーを、前面側熱交換部と背面側熱交換部の合せ部に配設したことを特徴とする請求項３に記載の多室形空気調和機。
【請求項５】
前面側熱交換部の下方に配設された水受け皿とは別に、前記室内膨張弁の下方に水受け皿を配設したことを特徴とする請求項１〜４のいずれか１項に記載の多室形空気調和機。
【請求項６】
室内機に前面グリルを設け、前記前面グリルの内側で、室内膨張弁および前記室内膨張弁に接続された配管の前面部側に防音材を配設したことを特徴とする請求項１〜５のいずれか１項に記載の多室形空気調和機。
【請求項７】
室内膨張弁および前記室内膨張弁に接続された配管の一部を覆う水受け皿兼用カバー部材を配設したことを特徴とする請求項１〜４、６のいずれか１項に記載の多室形空気調和機。
【発明の詳細な説明】
【技術分野】
【０００１】
本発明は、壁掛け用の室内機を複数用いた多室形空気調和機に関するものである。
【背景技術】
【０００２】
従来、この種の多室形空気調和機は、壁掛け用の複数台の室内機と、１台の室外機とで構成され、この各室内機の筐体内に冷媒の流量を調整するための室内膨張弁を収納し、各室内機で、冷暖房運転を個別に操作し得るようにしている（例えば、特許文献１参照）。
【０００３】
図７は、上記特許文献１に記載された従来の多室形空気調和機の冷凍サイクル図である。
【０００４】
図７に示すように、１は多室形空気調和機本体で、圧縮機２と、冷媒の循環方向を切り換える四方弁３と、室外熱交換器４と、前記冷媒の流量を制御する室外膨張弁５と、冷媒配管７および複数台の室内熱交換器６ａ〜６ｃ等で構成され、複数台の室内機１６ａ〜１６ｃと室外機１９に分かれている。
【０００５】
８は、レシーバ、１０は、室外熱交換器４を通過する空気流を発生させる室外ファン、１２ａ〜１２ｃは室内熱交換器６ａ〜６ｃをそれぞれ通過する空気流を発生させる室内ファンである。また、９は、圧縮機２の冷媒流出側に設けられた吐出温度検出手段、１１は、室外熱交換器４の所定位置に設けられた室外熱交温度検出手段、２０は、室外熱交換器４の風上側の所定位置に設けられた室外吸込温度検出手段、１３ａ〜１３ｃは、室内熱交換器６ａ〜６ｃの所定位置にそれぞれ設けられた室内熱交温度検出手段、２２ａ〜２２ｃは、室内熱交換器６ａ〜６ｃのガス管側にそれぞれ設けられた室内ガス管温度検出手段、１４ａ〜１４ｃは、室内熱交換器６ａ〜６ｃの風上側の所定位置にそれぞれ設けられた室内吸込温度検出手段である。
【０００６】
１５ａ〜１５ｃは、リモ−トコントロ−ラ１７ａ〜１７ｃの信号をそれぞれ受信する室内制御器、１８は、室内制御器１５ａ〜１５ｃと通信を行う室外制御器である。２１ａ〜２１ｃは室内膨張弁である。
【０００７】
図８は、室内機１６ａ（室内機１６ｂ、１６ｃも同じ）の断面概略図、図９は、室内機１６ａのモータ側部分の内部概略図である。
【０００８】
図８および図９に示すように、室内熱交換器６ａの背面側を一部カットして、室内膨張弁２１ａが室内機内部の背面側のスペースに配置されている。室内熱交換器６ａは、前面側熱交換部６ａ−１と、背面側熱交換部６ａ―２に分割されている。３３は、分流器、３４は、上下仕切り板、３５は、左右仕切板、３６は、金属カバーである。
【先行技術文献】
【特許文献】
【０００９】
【特許文献１】特開２００３−３３６８５７号公報
【発明の概要】
【発明が解決しようとする課題】
【００１０】
しかしながら、前記従来の多室形空気調和機の構成では、室内熱交換器６ａの背面側を一部カットするため、膨張弁を内蔵しないペア型の室内機より熱交換効率が悪く性能がでない。また、前面側熱交換部６ａ―１の長さと背面側熱交換部６ａ−２の長さが異なるた
め、ペア型の室内機とマルチ型の室内機との間で室内熱交換器等の部品を共用化できないという課題を有していた。
【００１１】
本発明は、前記従来の課題を解決するもので、室内膨張弁の配置および冷媒配管構成を変更することにより、膨張弁を内蔵しないペア型の室内機と同等性能にでき、ペア型の室内機とマルチ型の室内機との間で部品を共用化できる多室形空気調和機を提供することを目的とする。
【課題を解決するための手段】
【００１２】
前記従来の課題を解決するために、本発明の多室形空気調和機は、１台の室外機と、前記室外機に接続された複数台の室内機を有し、前記室外機は、圧縮機と、四方弁と、室外熱交換器と、室外膨張弁を備え、前記複数台の室内機のそれぞれは、室内熱交換器と、室内膨張弁と、室内ファンを備え、前記室内熱交換器の側方に、室内制御器を配設し、前記室内熱交換器の前記室内制御器と反対側の側方に前記室内膨張弁を配設したもので、室内膨張弁の配設のために室内熱交換器の背面側を一部カットする必要が無いので、前面側熱交換部長さと背面側熱交換部長さが同じとなり、マルチ型の室内機を、膨張弁を内蔵しないペア型の室内機と同等性能にすることができ、また、ペア型の室内機とマルチ型の室内機との間で部品を共用化することができる。
【発明の効果】
【００１３】
本発明の多室形空気調和機は、マルチ型の室内機をペア型の室内機と同等性能にでき、また、ペア型の室内機とマルチ型の室内機との間で部品を共用化することができる。
【図面の簡単な説明】
【００１４】
【図１】本発明の実施の形態１における多室形空気調和機の室内機の斜視図
【図２】同室内機の正面概略図
【図３】同室内機の上面概略図
【図４】同室内機の断面概略図
【図５】同室内機の前面グリル内側の概略図
【図６】本発明の実施の形態２における多室形空気調和機の室内機の正面概略図
【図７】従来の多室形空気調和機の冷凍サイクル図
【図８】同多室形空気調和機の室内機の断面概略図
【図９】同室内機のモータ側部分の内部概略図
【発明を実施するための形態】
【００１５】
第１の発明は、１台の室外機と、前記室外機に接続された複数台の室内機を有し、前記室外機は、圧縮機と、四方弁と、室外熱交換器と、室外膨張弁を備え、前記複数台の室内機のそれぞれは、室内熱交換器と、室内膨張弁と、室内ファンを備え、前記室内熱交換器の側方に、室内制御器を配設し、前記室内熱交換器の前記室内制御器と反対側の側方に前記室内膨張弁を配設したもので、室内膨張弁の配設のために室内熱交換器の背面側を一部カットする必要が無いので、前面側熱交換部長さと背面側熱交換部長さが同じとなり、マルチ型の室内機を、膨張弁を内蔵しないペア型の室内機と同等性能にすることができ、また、ペア型の室内機とマルチ型の室内機との間で部品を共用化することができる。
【００１６】
第２の発明は、特に、第１の発明の室内膨張弁に接続された配管の一部を、室内熱交換器の背面側に配設したもので、室内熱交換器の背面側の空いたスペースを有効活用して、配管の一部をコンパクトに収納することができ、マルチ型の室内機の本体寸法をペア型の室内機と同じにできる。
【００１７】
第３の発明は、特に、第１又は第２の発明の室内熱交換器は、前面側熱交換部と背面側
熱交換部を備え、室内膨張弁のリード線部を、前記前面側熱交換部と前記背面側熱交換部の合せ部に配設したもので、室内熱交換器の上側の空いたスペースを有効活用して、室内膨張弁のリード線部をコンパクトに収納することができる。
【００１８】
第４の発明は、特に、第３の発明のリード線部をカバーするリード線カバーを、前面側熱交換部と背面側熱交換部の合せ部に配設したもので、室内熱交換器の上側の空いたスペースを有効活用して、室内膨張弁のリード線部をコンパクトに収納することができる。
【００１９】
また、リード線カバーを、前面側熱交換部と背面側熱交換部の合せ部に密着させれば、風漏れを防止でき、前面側熱交換部と背面側熱交換部の合せ部に貼付けているシール材を廃止できる。さらに、冷房運転時は、リード線部の結露を防止することができる。
【００２０】
さらにまた、フィルターを、室内膨張弁のリード線部に引っ掛けることがなく、容易に着脱することができる。
【００２１】
第５の発明は、特に、第１〜４のいずれか一つの発明の前面側熱交換部の下方に配設された水受け皿とは別に、前記室内膨張弁の下方に水受け皿を配設したもので、前面側熱交換部の下方に配設された水受け皿は、ペア型の室内機の水受け皿と共用化することができる。
【００２２】
第６の発明は、特に、第１〜５のいずれか一つの発明の室内機に前面グリルを設け、前記前面グリルの内側で、室内膨張弁および前記室内膨張弁に接続された配管の前面部側に防音材を配設したもので、防音材が遮音することとなり、室内膨張弁前後の冷媒回路から発生する冷媒流通音の低減を図ることができる。
【００２３】
第７の発明は、特に、第１〜４、６のいずれか一つの発明の室内膨張弁および前記室内膨張弁に接続された配管の一部を覆う水受け皿兼用カバー部材を配設したもので、この水受け皿兼用カバー部材がさらに遮音することとなり、室内膨張弁前後の冷媒回路から発生する冷媒流通音をさらに低減することができる。また、前面側熱交換部の下方に配設された水受け皿は、ペア型の室内機の水受け皿と共用化することができる。
【００２４】
以下、本発明の実施の形態について、図面を参照しながら説明する。なお、この実施の形態によって本発明が限定されるものではない。
【００２５】
（実施の形態１）
本発明の第１の実施の形態における多室形空気調和機について、図１〜５を用いて説明する。図１は、本実施の形態における多室形空気調和機の室内機の斜視図、図２は、同室内機の正面概略図、図３は、同多室形空気調和機の室内機の上面概略図である。本実施の形態における多室形空気調和機の冷凍サイクル図は、従来の多室形空気調和機の冷凍サイクル図（図７）と同じなので、同一部分には同一符号を付してその説明を省略する。
【００２６】
図１〜３において、本実施の形態における多室形空気調和機は、従来と同様、１台の室外機１８と複数台の室内機１６ａ〜１６ｃから構成されている。２４は、上下羽根である。
【００２７】
本実施の形態では、室内熱交換器６ａ（６ｂ、６ｃ）の側方に室内制御器１５ａ（１５ｂ、１５ｃ）を配設し、室内制御器１５ａ（１５ｂ、１５ｃ）と反対側の室内熱交換器６ａ（６ｂ、６ｃ）の側方に室内膨張弁２１ａ（２１ｂ、２１ｃ）を構成している。２６は、ストレーナ（サイレンサ、マフラー等を含む）である。
【００２８】
以上のように、本実施の形態においては、室内熱交換器６ａ（６ｂ、６ｃ）の背面側熱交換部６ａ−２（６ｂ−２、６ｃ−２）を一部カットしないため、前面側熱交換部６ａ−１（６ｂ−１、６ｃ−１）の長さと背面側熱交換部６ａ−２（６ｂ−２、６ｃ−２）の長さが同じとなり、膨張弁を内蔵するマルチ型の室内機を、膨張弁を内蔵しないペア型の室内機と同等性能にすることができ、また、ペア型の室内機とマルチ型の室内機との間で部品（室内熱交換器６ａ（６ｂ、６ｃ）、水受け皿２５Ａ等）を共用化することができる。
【００２９】
図３において、室内膨張弁２１ａ（２１ｂ、２１ｃ）に接続される配管２７および２８の一部を室内熱交換器６ａ（６ｂ、６ｃ）の背面側に構成している。
【００３０】
以上のように、本実施の形態においては、室内熱交換器６ａ（６ｂ、６ｃ）の背面側の空いたスペースを有効活用して、配管２７および２８の一部をコンパクトに収納することができ、マルチ型の室内機の本体寸法をペア型の室内機の本体寸法と同じにできる。
【００３１】
また、本実施の形態においては、室内膨張弁２１ａ（２１ｂ、２１ｃ）のリード線部２１ｄを、室内熱交換器６ａ（６ｂ、６ｃ）の前面側熱交換部６ａ−１（６ｂ−１、６ｃ−１）と背面側熱交換部６ａ−２（６ｂ−２、６ｃ−２）の合せ部に配設することにより、室内熱交換器６の上側の空いたスペースを有効活用して、室内膨張弁２１ａ（２１ｂ、２１ｃ）のリード線部２１ｄをコンパクトに収納することができる。
【００３２】
図４は、本実施の形態における多室形空気調和機の室内機の断面概略図である。
【００３３】
図４において、室内膨張弁２１ａ（２１ｂ、２１ｃ）のリード線部２１ｄを収納するリード線カバー２９を室内熱交換器６ａ（６ｂ、６ｃ）の前面側熱交換部６ａ−１（６ｂ−１、６ｃ−１）と背面側熱交換部６ａ−２（６ｂ−２、６ｃ−２））の合せ部に構成している。
【００３４】
以上のように、本実施の形態においては、室内熱交換器６ａ（６ｂ、６ｃ）の上側の空いたスペースを有効活用して、室内膨張弁２１ａ（２１ｂ、２１ｃ）のリード線部２１ｄをコンパクトに収納することができる。
【００３５】
また、リード線カバー２９は、前面側熱交換部６ａ−１（６ｂ−１、６ｃ−１）と背面側熱交換部６ａ−２（６ｂ−２、６ｃ−２）の合せ部に密着しているため、風漏れを防止でき、前面側熱交換部６ａ−１（６ｂ−１、６ｃ−１）と背面側熱交換部６ａ−２（６ｂ−２、６ｃ−２）の合せ部に貼付けているシール材（図示せず）を廃止できる。
【００３６】
さらに、冷房運転時は、リード線部２１ｄの結露を防止することができる。
【００３７】
さらにまた、フィルター３０を、室内膨張弁２１ａ（２１ｂ、２１ｃ）のリード線部２１ｄに引っ掛けることがなく、容易にフィルター３０を着脱することができる。
【００３８】
また、本実施の形態においては、室内熱交換器６ａ（６ｂ、６ｃ）の前面側熱交換部６ａ−１（６ｂ−１、６ｃ−１）の下方に配設された水受け皿２５Ａとは別に、室内膨張弁２１ａ（２１ｂ、２１ｃ）の下方に水受け皿２５Ｂを配設したことにより、前面側熱交換部６ａ−１（６ｂ−１、６ｃ−１）の下方に配設された水受け皿２５Ａは、ペア型の室内機の水受け皿と共用化することができる。
【００３９】
図５は、本実施の形態における多室形空気調和機の室内機の前面グリル内側の概略図である。
【００４０】
図５において、室内機１６の前面グリル２３の内側で、室内膨張弁２１ａ（２１ｂ、２１ｃ）および室内膨張弁２１ａ（２１ｂ、２１ｃ）に接続される配管２７および２８の前面部側に、ゴム板、鋼板等から形成された防音材３１を貼り付ける構成にしている。
【００４１】
以上のように、本実施の形態においては、この防音材３１が遮音することとなり、室内膨張弁２１ａ（２１ｂ、２１ｃ）前後の冷媒回路から発生する冷媒流通音の低減を図ることができる。
【００４２】
（実施の形態２）
図６は、本発明の第２の実施の形態における多室形空気調和機の室内機の正面概略図である。
【００４３】
本実施の形態における多室形空気調和機は、図６に示すように、室内膨張弁２１ａ（２１ｂ、２１ｃ）および室内膨張弁２１ａ（２１ｂ、２１ｃ）に接続される配管２７および２８の一部を覆う水受け皿兼用カバー部材３２を配設したもので、他の構成は、上記第１の実施の形態における多室形空気調和機と同じなので、同一部分には、同一符合を付してその説明を省略する。
【００４４】
以上のように、本実施の形態においては、水受け皿兼用カバー部材３２がさらに遮音することとなり、室内膨張弁２１ａ（２１ｂ、２１ｃ）前後の冷媒回路から発生する冷媒流通音をさらに低減することができる。
【００４５】
また、前面側熱交換部６ａ−１（６ｂ−１、６ｃ−１）の下方に配設された水受け皿２５Ａは、ペア型の室内機の水受け皿と共用化することができる。
【００４６】
なお、上記第１、第２の実施の形態においては、室内制御器１５ａ（１５ｂ、１５ｃ）を室内機１６ａ（１６ｂ、１６ｃ）の右側端部に配置し、室内膨張弁２１ａ（２１ｂ、２１ｃ）を室内機１６ａ（１６ｂ、１６ｃ）の左側端部に配置しているが、左右を逆にして入れ替えた構造であっても、本実施の形態と同様な作用・効果を得ることは言うまでもない。
【産業上の利用可能性】
【００４７】
以上のように、本発明にかかる多室形空気調和機は、室内膨張弁の配置および冷媒配管構成を変更することにより、ペア型の室内機と同等性能にでき、ペア型の室内機とマルチ型の室内機との間で部品を共用化でき、また、静音化し、快適性の向上を図ることが可能となるので、多室形空気調和機で、特に室内機に膨張弁を内蔵するインバ−タ機等の用途にも適用できる。
【符号の説明】
【００４８】
１  多室形空気調和機
２  圧縮機
３  四方弁
４  室外熱交換器
５  室外膨張弁
６ａ〜６ｃ  室内熱交換器
６ａ−１（６ｂ−１、６ｃ−１）  前面側熱交換部
６ａ−２（６ｂ−２、６ｃ−２）  背面側熱交換部
７  冷媒配管
８  レシーバ
９  吐出温度検出手段
１０  室外ファン
１１  室外熱交温度検出手段
１２ａ〜１２ｃ  室内ファン
１３ａ〜１３ｃ  室内熱交温度検出手段
１４ａ〜１４ｃ  室内吸込温度検出手段
１５ａ〜１５ｃ  室内制御器
１６ａ〜１６ｃ  室内機
１７ａ〜１７ｃ  リモ−トコントロ−ラ
１８  室外制御器
１９  室外機
２０  室外吸込温度検出手段
２１ａ〜２１ｃ  室内膨張弁
２１ｄ  リード線部
２２ａ〜２２ｃ  室内ガス管温度検出手段
２３  前面グリル
２４  上下羽根
２５Ａ、２５Ｂ  水受け皿
２６  ストレーナ
２７、２８  配管
２９  リード線カバー
３０  フィルター
３１  防音材
３２  水受け皿兼用カバー部材
３３  分流器
３４  上下仕切板
３５  左右仕切版
３６  金属カバー
【図１】
2011094891.tif 000003
【図２】
2011094891.tif 000004
【図３】
2011094891.tif 000005
【図４】
2011094891.tif 000006
【図５】
2011094891.tif 000007
【図６】
2011094891.tif 000008
【図７】
2011094891.tif 000009
【図８】
2011094891.tif 000010
【図９】
2011094891.tif 000011